(57)【特許請求の範囲】
【請求項１】
基地局と通信し、当該基地局との初期レンジングシグナリングで用いるＭＰＤＵ（MAC（Media Access Control）Protocol Data Unit）を受信し、復号するように構成されたマイクロ波無線通信装置であって、
前記基地局との間で信号の送受信を行う送受信機能部と、
前記送受信機能部が受信した前記基地局からのダウンリンクサブフレームにおいて、異なるユーザ装置宛のＭＰＤＵｓを区別する働きをするデータを読み出す識別情報検索機能部と、
前記ＭＰＤＵを復号する処理機能部と、
を備え、
前記読み出されたデータは、ＭＡＣアドレス又はハンドオーバ識別子の値が奇数又は偶数のいずれかであるかを示すビット値であり、
前記処理機能部は、
前記マイクロ波無線通信装置のＭＡＣアドレス又はハンドオーバ識別子の値が奇数又は偶数であるかを求め、求めた結果が、前記ビット値が示す奇数又は偶数と一致する場合、前記ＭＰＤＵを復号し、求めた結果が、前記ビット値が示す奇数又は偶数と一致しない場合、前記ＭＰＤＵを復号しない
ことを特徴とするマイクロ波無線通信装置。
【請求項２】
前記識別情報検索機能部は、前記ダウンリンクサブフレームのダウンリンクマップ（ＤＬ−ＭＡＰ）内におけるフィールド内から前記データを読み出すように構成される
請求項１に記載の装置。
【請求項３】
前記ダウンリンクサブフレームは、ダウンリンクバーストがレンジング応答ＰＤＵｓを
含むか否かを示す働きをするフラグを含む
請求項１に記載の装置。
【請求項４】
前記フラグは前記ダウンリンクサブフレームのＤＬ−ＭＡＰ部内に備えられる
請求項３に記載の装置。
【請求項５】
前記識別情報検索機能部は、一般ＭＡＣヘッダに関連する前記データを読み出すように構成される
請求項１に記載の装置。
【請求項６】
前記一般ＭＡＣヘッダの予約ビットは、異なる通信装置宛のＭＰＤＵｓを区別する働きをする
請求項５に記載の装置。
【請求項７】
前記一般ＭＡＣヘッダ内のビットの組み合わせは、初期レンジングサブヘッダの存在を示すように構成される
請求項５に記載の装置。
【請求項８】
前記ビットの組み合わせは、前記一般ＭＡＣヘッダのＴｙｐｅフィールド内に位置する  請求項７に記載の装置。
【請求項９】
前記データは、初期レンジングサブヘッダ内に備えられる
請求項１に記載の装置。
【請求項１０】
前記初期レンジングサブヘッダは、一般ＭＡＣヘッダの後に続くように構成される
請求項９に記載の装置。
【請求項１１】
ＭＰＤＵを区別するための前記初期レンジングサブヘッダを復号するように構成される
請求項９に記載の装置。
【請求項１２】
前記初期レンジングのＣＩＤ（Connection Identifier）におけるレンジングのタイミ
ングで、異なるＭＰＤＵｓ及び装置を区別するように構成される
請求項１に記載の装置。
【請求項１３】
当該装置は、ＷｉＭＡＸユーザ装置、移動局、加入者宅内機器、又は加入者局のうちい
ずれか一つ、あるいは任意のＷｉＭＡＸの使用可能な装置から構成される
請求項１に記載の装置。
【請求項１４】
ユーザ装置と通信を行い、当該ユーザ装置により受信及び復号される、初期レンジング
シグナリングにおいて使用されるＭＰＤＵｓを送信するよう構成されたマイクロ波無線通
信基地局装置であって、
前記ユーザ装置との間で信号の送受信を行う送受信機能部と、
前記送受信機能部が送信するダウンリンクサブフレームにおいて、異なるユーザ装置宛のＭＰＤＵｓを区別するのに役立つデータを規定する識別情報制御部と、
を備え、
前記識別情報制御部は、前記異なるユーザ装置宛のＭＰＤＵｓを区別するのに役立つデータとして、前記ユーザ装置のＭＡＣアドレス又はハンドオーバ識別子の値が奇数又は偶数のいずれかであるかを示すビット値により規定する、
ことを特徴とするマイクロ波無線通信基地局装置。
【請求項１５】
前記データは、前記ダウンリンクサブフレームのＤＬ−ＭＡＰ内のフィールド内に備え
られる
請求項１４に記載の基地局装置。
【請求項１６】
前記ダウンリンクサブフレームは、ダウンリンクバーストがレンジング応答ＰＤＵｓを
含むか否かを示す働きをするフラグを含む
請求項１４に記載の基地局装置。
【請求項１７】
前記データは、一般ＭＡＣヘッダに関連する
請求項１４に記載の基地局装置。
【請求項１８】
前記一般ＭＡＣヘッダの予約ビットは、異なるユーザ装置宛のＭＰＤＵｓを区別する働
きをする
請求項１７に記載の基地局装置。
【請求項１９】
前記一般ＭＡＣヘッダ内のビットの組み合わせは、初期レンジングサブヘッダの存在を
示すように構成される
請求項１７に記載の基地局装置。
【請求項２０】
前記ビットの組み合わせは、前記一般ＭＡＣヘッダのＴｙｐｅフィールド内に位置する
請求項１９に記載の基地局装置。
【請求項２１】
前記データは、初期レンジングサブヘッダ内に備えられる
請求項１４に記載の基地局装置。
【請求項２２】
前記初期レンジングサブヘッダは、一般ＭＡＣヘッダの後に続くように構成される
請求項２１に記載の基地局装置。
【請求項２３】
基地局と通信し、当該基地局との初期レンジングシグナリングで用いるＭＰＤＵ（MAC（Media Access Control）Protocol Data Unit）を受信し、復号するように構成されたマイクロ波無線通信装置が実行する方法であって、当該方法は、
前記基地局との間で信号の送受信を行う送受信機能ステップと、
前記送受信機能部が受信した前記基地局からのダウンリンクサブフレームにおいて、異なるユーザ装置宛のＭＰＤＵｓを区別する働きをするデータを読み出す識別情報検索機能ステップと、
前記ＭＰＤＵを復号する処理機能ステップと、
を含み、
前記読み出されたデータは、ＭＡＣアドレス又はハンドオーバ識別子の値が奇数又は偶数のいずれかであるかを示すビット値であり、
前記処理機能ステップにおいて、
前記マイクロ波無線通信装置のＭＡＣアドレス又はハンドオーバ識別子の値が奇数又は偶数であるかを求め、求めた結果が、前記ビット値が示す奇数又は偶数と一致する場合、前記ＭＰＤＵを復号し、求めた結果が、前記ビット値が示す奇数又は偶数と一致しない場合、前記ＭＰＤＵを復号しない
ことを特徴とする方法。
【請求項２４】
前記データは、前記ダウンリンクサブフレームのＤＬ−ＭＡＰ内のフィールド内に備え
られる
請求項２３に記載の方法。
【請求項２５】
前記ダウンリンクサブフレームは、ダウンリンクバーストがレンジング応答ＰＤＵｓを
含むか否かを示す働きをするフラグを含む
請求項２３に記載の方法。
【請求項２６】
前記フラグは前記ダウンリンクサブフレームのＤＬ−ＭＡＰ部内に備えられることを含
む
請求項２５に記載の方法。
【請求項２７】
前記データは、一般ＭＡＣヘッダと関連する
請求項２３に記載の方法。
【請求項２８】
前記一般ＭＡＣヘッダの予約ビットは、異なる通信装置宛のＭＰＤＵｓを区別する働き
をする
請求項２７に記載の方法。
【請求項２９】
前記一般ＭＡＣヘッダ内のビットの組み合わせは、初期レンジングサブヘッダの存在を
示すように構成される
請求項２７に記載の方法。
【請求項３０】
前記ビットの組み合わせは、前記一般ＭＡＣヘッダのＴｙｐｅフィールド内に位置する
請求項２９に記載の方法。
【請求項３１】
前記データは、初期レンジングサブヘッダ内に備えられる
請求項２３に記載の方法。
【請求項３２】
前記初期レンジングサブヘッダは、一般ＭＡＣヘッダの後に続くように構成される
請求項３１に記載の方法。
【請求項３３】
ＭＰＤＵ用の初期レンジングサブヘッダ及び装置識別を復号することを含む
請求項３１に記載の方法。
【請求項３４】
前記初期レンジングのＣＩＤにおけるレンジングのタイミングで、異なるＭＰＤＵｓ及
び装置を区別する働きをする
請求項２３に記載の方法。
【請求項３５】
ＷｉＭＡＸシステム内における選択的な復号の制御を提供する働きをする
請求項２３に記載の方法。
【請求項３６】
請求項１に記載の通信装置と、請求項１４に記載の基地局装置と、を含むマイクロ波無線通信システム。
【請求項３７】
コンピュータを、
基地局と通信し、当該基地局との初期レンジングシグナリングで用いるＭＰＤＵ（MAC（Media Access Control）Protocol Data Unit）を受信し、復号するように構成されたマイクロ波無線通信装置として機能させるプログラムであって、
当該コンピュータを、
前記基地局との間で信号の送受信を行う送受信機能部、
前記送受信機能部が受信した前記基地局からのダウンリンクサブフレームにおいて、異なるユーザ装置宛のＭＰＤＵｓを区別する働きをするデータを読み出す識別情報検索機能部、
前記ＭＰＤＵを復号する処理機能部、
として機能させ
前記読み出されたデータは、ＭＡＣアドレス又はハンドオーバ識別子の値が奇数又は偶数のいずれかであるかを示すビット値であり、
前記処理機能部は、
前記マイクロ波無線通信装置のＭＡＣアドレス又はハンドオーバ識別子の値が奇数又は偶数であるかを求め、求めた結果が、前記ビット値が示す奇数又は偶数と一致する場合、前記ＭＰＤＵを復号し、求めた結果が、前記ビット値が示す奇数又は偶数と一致しない場合、前記ＭＰＤＵを復号しない
ように機能させることを特徴とするコンピュータプログラム。
【発明の詳細な説明】
【技術分野】
【０００１】
本発明は、マイクロ波無線通信装置、並びに、操作及びネットワーク装置の関連方法に関する。
【背景技術】
【０００２】
例えば、ＷｉＭＡＸの加入者宅内機器（ＣＰＥ）、ＷｉＭＡＸ加入者局（ＳＳ）、及びＷｉＭＡＸ移動局（ＭＳ）のようなマイクロ波通信装置はＷｉＭＡＸ通信システムの構成要素としてよく知られている。そのような装置は、ＷｉＭＡＸ基地局と通信をするように構成され、ＷｉＦｉシステムより示される距離を超えて、長距離にわたる無線マイクロ波接続を提供する。
【０００３】
ユーザが最初にＷｉＭＡＸ装置にスイッチを入れる時、又は、そのような装置がサービング基地局からターゲット基地局にハンドオーバをする時、又、実際には、装置が、アイドリングモードを終了してネットワーク再登録を行う時で、かつ位置の更新中に、様々なシグナリングシナリオが開始される。そのようなシナリオにおいて、その間に装置が正確なタイミングオフセット及びパワー調節値を得ようとするところのレンジングシグナリングが、開始される。
【０００４】
そのレンジングの応答信号の返信において、基地局は、全ての潜在的なＷｉＭＡＸ装置に共通の初期レンジングのコネクション識別子ＣＩＤ（Connection Identifier）を使用する。各々のＷｉＭＡＸ装置は、メディアアクセス制御ＭＡＣ（Media Access Control）のパケットデータユニットＭＰＤＵｓ（MAC Packet Data Units）の大部分が特定の装置を対象としていない、又は、特定の装置にとって有効でないとしても、各メディアアクセス制御ＭＡＣのパケットデータユニットＭＰＤＵを復号しなければならない。これは、特に、動作のスピード及び電力消費に関して様々な非効率を引き起こす。
【発明の概要】
【発明が解決しようとする課題】
【０００５】
本発明は、マイクロ波無線通信ユーザ装置、関連する基地局、及び、既知の装置、方法及びネットワーク装置より優れた操作及びネットワーク装置の関連方法を提供することを目的とする。
【０００６】
特に、本発明は、ＷｉＭＡＸシステムにおける初期レンジングの間に、ダウンリンクバーストの不必要な復号を通じて起こる非効率に対処することを目的とする。
【課題を解決するための手段】
【０００７】
本発明の１つの態様によれば、基地局との通信のため、及び当該基地局との初期レンジングシグナリングにおいて使用するＭＰＤＵを受信し復号するために設置された、マイクロ波無線通信装置が提供される。当該装置は、さらに、異なるユーザ装置を対象とするＭＰＤＵｓを区別するために、サービング基地局からのダウンリンクサブフレーム中のデータを読み出すために設置される。
【０００８】
好ましくは、当該装置は上記サブフレームのダウンリンクマップ内のフィールド内から上記データを読み出すために配置され得る。
【０００９】
上記ダウンリンクサブフレームは、ダウンリンクバーストがレンジング応答ＰＤＵｓを含んでいるか否かを示す働きをするフラグを含むことができる。
【００１０】
１つの実施形態において、装置は一般ＭＡＣヘッダに関連づけられた上記データを読み出すよう構成され、例えば、一般ＭＡＣヘッダの予約ビットは、異なる通信装置に対するＭＰＤＵｓと区別するために用いられる。
【００１１】
代わりに、又は、併せて、ビットの組み合わせを、初期レンジングのサブヘッダの存在を示すために一般ＭＡＣヘッダ内で用いることができる。
【００１２】
ビットの組み合わせは、一般ＭＡＣヘッダのタイプフィールド内に位置する。
【００１３】
また、さらに、上記データは、初期レンジングサブヘッダ内に設けられることができ、さらに初期レンジングサブヘッダは一般ＭＡＣヘッダの後に続くように配置され得る。
【００１４】
もし存在すれば、初期レンジングサブヘッダは、ＭＰＤＵの識別を補助するために復号され得る。
【００１５】
当該装置は、ＭＡＣアドレスの詳細に基づいて、又はハンドオーバ識別子に基づいて、又は、位置の更新を行う時間に、異なるＭＰＤＵｓ及び装置と区別するために配置され得る。
【００１６】
上記から分かるように、当該装置は、ＷｉＭＡＸユーザ装置、移動局、加入者宅内装置、又は、加入者局の１つから構成される。
【００１７】
本発明の他の態様によれば、ユーザ装置と通信をするために設けられ、初期レンジングシグナリングにおいて使用される前記ユーザ装置により受信され復号されるＭＰＤＵを送信するように構成されたところのマイクロ波無線通信基地局の装置があり、この基地局はさらに、異なるユーザ装置宛のＭＰＤＵｓと区別するために用いられるダウンリンクサブフレームにおいてデータを送信するように構成される。
【００１８】
前記データの提供は、もちろん、マイクロ波無線通信装置に関して上記定義のとおりとすることも可能である。
【００１９】
本発明のさらに異なる他の態様によれば、基地局からマイクロ波無線通信装置に送信されるシグナリングにおいて、ＭＰＤＵｓの選択的な復号の制御方法が提供される。当該方法は、異なるユーザの通信装置に向けたＭＰＤＵｓと区別するために用いられるダウンリンクサブフレームにおいてデータを読み出すステップを含む。
【００２０】
もちろん、この方法は、上記で定義されたデータの提供に関するステップも含み得る。
【００２１】
もちろん、同様に、当然のことながら本発明が、上記で定義された通信装置を含むマイクロ波無線通信システムを提供し得る。
【００２２】
本発明のさらに異なる態様によれば、マイクロ波無線通信装置から送信され、初期レンジング及びＭＰＤＵｓの復号において使用されるダウンリンク信号を提供する。当該信号は、異なるユーザ装置宛のＭＰＤＵｓと区別するために供給されるデータを含む。
【００２３】
また、上記信号は、通信装置に関連づけて上記に定義された手法で提供され得る。
【００２４】
したがって、本発明は、上記で定義した信号を用いるように構成されたマイクロ波無線信号システムも包含する。
【００２５】
本発明のデータの処理及び読み出し機能は、ハードウェア又はソフトウェアのいずれかで提供され得る。したがって、本発明は、コンピュータプログラム命令を含むコンピュータプログラム製品も含み得、当該プログラム製品が処理装置内に読み込まれた場合は、上記で定義された操作の方法を提供するように設計される。
【００２６】
本発明は、単なる例としての添付の図を参照して、さらに以下に記載される。
【図面の簡単な説明】
【００２７】
【図１】本発明が採用し得るＷｉＭＡＸ通信システムの概略図である。
【図２】本発明の態様を示すダウンリンク信号のサブフレーム構造のブロック図である。
【図３】本発明の実施形態による携帯電話機の形式におけるＷｉＭＡＸユーザ装置のブロック概略図である。
【図４】本発明の実施形態によるＷｉＭＡＸ基地局の概略図である。
【図５】本発明の一つの態様による、図３に示すようなＷｉＭＡＸ装置における動作を示すフローチャート図である。
【図６】本発明の他の態様による、図３に示すようなＷｉＭＡＸ装置における動作を示すフローチャート図である。
【図７】本発明のさらに他の態様による、図３に示すようなＷｉＭＡＸ装置における動作を示すフローチャート図である。
【図８】図５乃至７を参照して説明されるステップの組み合わせによる、図３に示すようなＷｉＭＡＸ装置の動作を示すフローチャート図である。
【図９】図５乃至７を参照して説明されるステップの組み合わせによる、図３に示すようなＷｉＭＡＸ装置の動作を示すフローチャート図である。
【発明を実施するための形態】
【００２８】
ＷｉＭＡＸ装置（例えば、ＷｉＭＡＸ  ＣＰＥ（加入者宅内機器）／ＳＳ（加入者局）、またはＷｉＭＡＸ  ＭＳ（移動局））にスイッチを入れたときに、装置は、動作周波数帯域におけるダウンリンク（ＤＬ）チャンネルをスキャンする。いったんＤＬサブフレーム内のプリアンプルが検出されると、装置はダウンリンクマップ（ＤＬ−ＭＡＰ）及び下りチャネル記述子（ＤＣＤ）メッセージを取得しようと試みる。アップリンク（ＵＬ）パラメータを取得した後、ＷｉＭＡＸ装置は、正確なタイミングオフセット及び電力調節を獲得するために、初期レンジングＣＩＤにおいて、一意のＭＡＣアドレスを含むレンジング要求（ＲＮＧ−ＲＥＱ）メッセージを送信する。初期レンジングＣＩＤの値は０である。いったん基地局（ＢＳ）がうまくＲＮＧ−ＲＥＱを受信すると、また初期レンジングＣＩＤを使って、装置のＭＡＣアドレスを含むレンジング応答（ＲＥＧ−ＲＥＳ）メッセージを返信する。
【００２９】
他のシナリオでは、装置がサービング基地局からターゲット基地局へハンドオーバを行い、その後ターゲット基地局からアップリンクの機会を得るような場合、装置は、ハンドオーバ識別子（ＨＯ＿ＩＤ）又はＭＡＣアドレスを含むＲＮＧ−ＲＥＧメッセージを送信する。先のシナリオのように、いったん基地局がＲＮＧ−ＲＥＱメッセージを首尾よく受信すると、初期レンジングＣＩＤを使って、装置のＨＯ＿ＩＤを含むＲＮＧ−ＲＳＰメッセージを返信する。
【００３０】
初期レンジングは、装置がアイドリングモードから脱したときにネットワークに再登録する間、及び位置の更新を行っている間、行われる。
【００３１】
上記の内容から分かるように、本発明は、例えば、ＷｉＭＡＸユーザ装置において改善された初期レンジングを提供するものである。本発明は、省電力を可能にし、初期レンジング手続きの間に、ＤＬ  ＭＰＤＵｓの不必要な復号を防ぐ働きをする。
【００３２】
さらに具体的には、初期レンジングＣＩＤにおいてＲＮＧ−ＲＥＱを送信した後、ＷｉＭＡＸ装置は、初期レンジングＣＩＤにおいてＲＮＧ−ＲＳＰを待つ。しかしながら、初期レンジングＣＩＤはすべての装置に共通するように設計されているので、ＷｉＭＡＸユーザ装置は、各下りバーストにおいて初期レンジングＣＩＤにおいて送信された各ＭＰＤＵを復号しなければならない。ＭＰＤＵのＲＮＧ−ＲＳＰ部分において、装置が最終的に自身のＭＡＣアドレス又は指定されたＨＯ＿ＩＤを検出するまで、そのような復号は続く。この不必要な復号は、装置の効率にとって不利な影響を及ぼす。
【００３３】
また、初期レンジングの間の下りバーストにおいてＭＰＤＵｓを復号することは、不必要な電力消費をもたらし、電力浪費、そして、バッテリー寿命を制限する効果へとつながる。
【００３４】
図１を見ると、要求に応じて基地局１４と通信を行うように構成されたＷｉＭＡＸ  ＭＳ１２及びＷｉＭＡＸ  ＣＰＥ１２’から構成されるユーザ装置を含むＷｉＭＡＸ通信システム１０が示されている。接続手続きの一環として、図１に示すように、装置１２、１２’のそれぞれは、レンジング要求信号１６、１８をそれぞれ発行し、基地局１４が受信すると、ＤＬサブフレーム２０においてレンジング応答の送信を開始する。ＤＬサブフレーム２０の構造については、さらに図２を参照して説明する。
【００３５】
図２は、プリアンブル部２２と、フレーム制御ヘッダ２４と、ＤＬ−ＭＡＰ２６と、ＵＬ−ＭＡＰ２８と、一連のダウンリンクバースト３０とから構成される、ＤＬサブフレーム２０の一般的な構造を示すものである。
【００３６】
さらに具体的には、本発明に特に関連のあるＤＬ−ＭＡＰ２６は、対象となる各ユーザ装置のＭＡＣアドレス及び／又はＨＯ＿ＩＤを含むことができる。
【００３７】
また、さらに、各ダウンリンクバースト３０は、ＭＰＤＵｓ３２−３６の選択肢から構成され、ＭＰＤＵｓ３２−３６のそれぞれは、さらに詳細には、一般ＭＡＣヘッダＧＭＨ３８と、初期レンジングサブヘッダ４０と、ＲＮＧ−ＲＳＰ部４２に加え、巡回冗長検査部４４とを含むように示される。
【００３８】
図１のＷｉＭＡＸユーザ装置１２及び基地局１４の概略ブロック図は、それぞれ図３及び図４により提示される。
【００３９】
図３を見ると、標準的な送受信機能１２ａと、処理機能１２ｂと、メモリ装置１２ｃとを備えた携帯電話機１２が図示されている。標準的な送受信機能１２ａはアンテナを介して信号を基地局へ送信及び基地局から受信する。処理機能１２ｂは、ＣＰＵ（Central Processing Unit）等から構成され、メモリ装置１２ｃに格納された様々なプログラムに従い携帯電話機１２の一般的な動作を制御する。メモリ装置１２ｃは、ＲＯＭ及びＲＡＭを有するように構成される。後述する図５乃至８に図示された操作手順に従って実施形態を実現するプログラムが、メモリ装置１２ｃのプログラム領域に格納される。本発明によれば、装置は識別情報検索機能１２ｄも含み、当該識別情報検索機能１２ｄは、基地局１４から送信されたＭＰＤＵの識別を試み、特に、携帯電話機１２を対象とするものである。
【００４０】
同様に、図４を見ると、図１に図示したようなＷｉＭＡＸ基地局１４の概略図が提示される。当該ＷｉＭＡＸ基地局１４は、送受信機能１４ａと、処理機能１４ｂと、メモリ装置１４ｃと、本発明によれば、識別情報制御装置１４ｄと、を備える。送受信機能１４ａは、アンテナを介して携帯電話機１２又はＣＥＰ１２’に信号を送信し、携帯電話機１２又はＣＥＰ１２’から信号を受信する。処理機能１４ｂは、ＣＰＵ等から構成され、メモリ装置１４ｃに格納された様々なプログラムに従って、ＷｉＭＡＸ基地局１４の一般的な動作を制御する。メモリ装置１４ｃは、プログラム領域とデータ領域とを有する。プログラム領域は、携帯電話機１２又はＣＥＰ１２’を管理するための管理プログラムが格納される。データ領域は、例えば、携帯電話機１２又はＣＥＰ  １２’の電話番号と、電子メールアドレスと、位置情報と、携帯電話機１２又はＣＥＰ  １２’が登録することができるターゲット基地局についての情報と、を関連付けた表を格納する。識別情報制御装置１４ｄは、携帯電話機１２又はＣＥＰ  １２’に送信されるＤＬサブフレーム２０内に識別情報を規定する働きをする。
【００４１】
本発明の１つの態様によれば、ＲＮＧ−ＲＳＰメッセージは、異なるＭＰＤＵｓを区別するのに適したＧＭＨ３８に添付される。
【００４２】
適したＧＭＨ３８の構造は以下の表に図示される。
【表１】
0005445468.tif 000002
【００４３】
予約（ＲＳＶ）ビットは一般的に使用されないが、本発明のこの態様は、例えば、ＭＡＣアドレス又はＨＯ＿ＩＤが添付のＲＮＧ−ＲＳＰメッセージにおいて偶数又は奇数であるかを識別するために、このビットを使用することを提案する。
【００４４】
規則は、ＭＡＣアドレス又はＨＯ＿ＩＤが偶数ならば、ＲＳＶビットは０、ＭＡＣアドレス又はＨＯ＿ＩＤが奇数ならばＲＳＶビットは１のように設定される。
【００４５】
上記のように、ＲＮＧ−ＲＳＰにおいて、ＣＩＤの値が０であり、ＷｉＭＡＸ装置がＣＩＤの０の値を検出した場合、ＷｉＭＡＸ装置はＲＳＶビットを調べる。ＲＳＶビットの値に応答して、ＷｉＭＡＸユーザ装置は、ＲＮＧ−ＲＳＰがＭＡＣアドレス又はＨＯ＿ＩＤが偶数又は奇数の装置に向けられたものであるか否かを検出することができる。ＲＳＶビットが特定の携帯電話機１２、１２’のＭＡＣアドレス又はＨＯ＿ＩＤの偶数／奇数指示と一致すると、装置は、ＭＰＤＵのＲＮＧ−ＲＳＰ  ＰＤＵを復号する。ＲＳＶビットを使用することにより、偶数／奇数のＭＡＣアドレス又はＨＯ＿ＩＤを有する装置に対するＲＮＧ−ＲＳＰ  ＰＤＵｓを識別することが可能である。したがって、本発明のこの態様によれば、ＲＮＧ−ＲＳＰ  ＰＤＵの不必要な復号をする可能性を半分に減らすことができる。
【００４６】
図５を見ると、上記の本発明の第１の実施形態について詳細な説明を提供するフローチャート図が提供される。
【００４７】
ユーザ装置１２は、ＲＮＧ−ＲＥＱ信号１６を発行する当該ユーザ装置１２に応答するＤＬサブフレーム２０を受信するように構成される。そして、最初のステップとして、ユーザ装置１２は、ステップ４６において、ＤＬ−ＭＡＰ２６を読み込み、ステップ４８において、要求されたダウンリンクのバーストを特定するコード（ＤＩＵＣ）のＤＬ−ＭＡＰ識別子がさらに存在するかどうかを調べる。もし無ければ、装置は、ステップ５０において示されたように、受信された通り次のＤＬサブフレームに移る。しかし、ステップ４８で示されたように、ＤＬ−ＭＡＰ識別子がさらに要求された場合、装置は、ステップ５２に示されるＤＬバーストの復号に移る。ステップ５４において、復号すべきＭＰＤＵがさらに存在すると判定されると、手続きは、ＧＭＨを復号するステップ５６に続く。存在しないと判定されると、手続きは、ＤＬ−ＭＡＰ識別子がさらに要求されるか否かを判定するステップ４８に戻る。
【００４８】
ステップ５６の後ＧＭＨが復号されると、ステップ５８において、ＲＮＧ−ＲＳＰ信号の存在を示すコネクション識別子（ＣＩＤ）がゼロか否かが最初に判定される。そして、奇数又は偶数のＭＡＣアドレス又はＨＯ＿ＩＤがこの特定のＲＮＧ−ＲＳＰ信号に関連するか否かを識別するために、ＲＳＶビットの値が判定される。ＣＩＤの値がゼロであり、奇数又は偶数の装置の特定のアドレス又は識別子が要求された場合、ステップ６０においてＲＮＧ−ＲＳＰ信号が復号され、ステップ６２において、ＲＮＧ−ＲＳＰ信号内のＭＡＣ又はＨＯ＿ＩＤが実際の装置のものと一致するか否かが続いて判定される。必要に応じて、奇数又は偶数のみのアドレスが復号されるので、不必要なシグナリングのオーバヘッド又は電力消費が５０％まで減少される（ステップ６４）。
【００４９】
そのような一致が起きた場合、装置と基地局との通信は、復号及びその後のシグナリング処理を適切に続けることができる。
【００５０】
他の実施形態によれば、ＲＮＧ−ＲＳＰメッセージは、以下に示す手法でＧＭＨに添付され得る。
【表２】
0005445468.tif 000003
【００５１】
Ｔｙｐｅフィールドでは、ビット＃１はパッキングサブヘッダが有るか否かを示すものであり、１が“有り”、０が“無し”を指定する。ビット＃２はフラグメンテーションサブヘッダが有るか否かを示すものであり、１が“有り”、０が“無し”を指定する。パッキングサブヘッダ及びフラグメンテーションサブヘッダの両方は、相互に排他的であり、同じＭＰＤＵ内には存在しない。
【００５２】
上記のようにＴｙｐｅビット＃１及び＃２の存在により示されるデータを用いることに加え、本実施形態は、新たに“初期レンジングサブヘッダ”も含む。“初期レンジングサブヘッダ”は、ＧＭＨに直後に続くように配置され、ビット＃１及びビット＃２の両方が１に設定されている場合に存在する。初期レンジングサブヘッダのフォーマットは以下の通りである。
【表３】
0005445468.tif 000004
【００５３】
上記のように、ＲＮＧ−ＲＳＰメッセージと共に、ＣＩＤの値は０（ゼロ）となる。いったんＷｉＭＡＸユーザ装置がＧＭＨにおいてＣＩＤの０の値を検出すると、Ｔｙｐｅフィールドのビット＃１及びビット＃２を調べる。これらのビットの両方が１に設定されている場合、装置は、“初期レンジングサブヘッダ”を復号する。ＭＡＣアドレス又はＨＯ＿ＩＤが装置のＭＡＣアドレ又は指定されたＨＯ＿ＩＤと一致する場合のみ、装置はＲＮＧ−ＲＳＰ  ＰＤＵを復号する。
【００５４】
上記から分かるように、本発明の第２の実施形態は、異なる装置に対するＭＰＤＵのＲＮＧ−ＲＳＰ  ＰＤＵｓを識別する働きをし、したがって、その特定のユーザ装置を対象としていないＲＮＧ−ＲＳＰ  ＰＤＵｓの不必要な復号を省く働きをする。
【００５５】
図６を見てみると、本発明の第２の実施形態に従って、ユーザ装置における動作を説明するフローチャート図が提供される。
【００５６】
上述のように、ユーザ装置１２は、ＲＮＧ−ＲＥＱ信号１６を発行する当該ユーザ装置１２に応答するダウンリンクサブフレーム２０を受信するように構成される。そして、最初のステップとして、ユーザ装置１２は、ステップ４６において、ＤＬ−ＭＡＰ２６を見込み、ステップ４８において、要求されたＤＩＵＣのＤＬ−ＭＡＰ識別子がさらに存在するか否かを調べる。もし、無ければ、装置は、ステップ５０において示されたように、受信された通り次のＤＬサブフレームに移る。しかし、ステップ４８に示されるように、ＤＬ−ＭＡＰ識別子がさらに要求された場合、装置は、ステップ５２に示されるＤＬバーストの復号に移る。ステップ５４において、復号すべきＭＰＤＵがさらに存在すると判定されると、手続きは、ＧＭＨを復号するステップ５６に続く。存在しないと判定されると、手続きは、ＤＬ−ＭＡＰ識別子がさらに要求されるか否かを判定するステップ４８に戻る。
【００５７】
ステップ５６におけるＧＭＨの復号の間に、ステップ６６において、ＣＩＤの値が０、ビット＃１及びビット＃２の両方が１に設定されていると判定された場合、ステップ６８に示すように、初期レンジングサブヘッダの復号が始まり、そして、ステップ７０において、初期レンジングサブヘッダ内のＭＡＣ又はハンドオーバ識別子が実際の装置のもとのと一致するか否かが判定される。一致した場合、ステップ７２に示すように、レンジング信号の復号は続き、すでに述べたように手続きは次にステップに進み、ステップ７４において、ユーザ装置の進行中の必須の動作に従って復号される。しかし、ステップ６６又は７０のいずれかにおいて、Ｔｙｐｅフィールドのビット＃１又は＃２の少なくとも１つ又はそれ以上が１に設定されていない場合、あるいは、ＭＡＣアドレス及びＨＯ＿ＩＤと装置のＭＡＣアドレス及びＨＯ＿ＩＤとが一致しない場合、手続きは、復号するＭＰＤＵがさらに存在するか否かを判定するステップ５４に戻る。そのような一致が起きた場合、装置と基地局との通信は適切に続き得る。
【００５８】
本発明のさらに異なる実施形態は、ＷｉＭＡＸがサポートする時分割複信（ＴＤＤ）のような通信スキームの特徴に基づいている。当該時分割複信において、フレームは、ＤＬサブフレーム及びＵＬサブフレームの２つの部分に分けられる。ＤＬサブフレームにおいて、ＤＬ−ＭＡＰは、基地局によりブロードキャストされ、ＤＬ＿ＭＡＰ−ＩＥ（）によりＤＬサブフレームにおける各ＤＬバーストの位置を示す。
【００５９】
しかし、この実施形態によれば、ユーザ装置が、ダウンリンクバーストにおいてＲＮＧ−ＲＳＰ  ＭＰＤＵが当該ユーザ装置宛か否かを判定することができるように、ＤＬ＿ＭＡＰ−ＩＥ（）を変更することが提案される。
【００６０】
本発明のこの実施形態によれば、ＤＬ＿ＭＡＰ−ＩＥ（）にすでに存在する他のフィールドに加え、以下のフィールドが含まれる。
【表４】
0005445468.tif 000005
【００６１】
ＲＮＧ＿ＲＳＰ＿ＦＬＡＧは、ダウンリンクバーストが初期レンジングＣＩＤに関するいずれかのＲＮＧ−ＲＳＰ  ＰＤＵ（ｓ）を含むか否かを示す働きをする。ＲＮＧ＿ＲＳＰ＿ＦＬＡＧが１と等しいなら、ＨＯ＿ＭＡＣＡＤＤ＿Ｉｎｆｏｒｍａｔｉｏｎは、ＤＬ＿ＭＡＰ−ＩＥ（）に含まれる。ＨＯ＿ＭＡＣＡＤＤ＿Ｉｎｆｏｒｍａｔｉｏｎは、ダウンリンクバーストに含まれるＲＮＧ−ＲＳＰ  ＰＤＵの装置の、ＭＡＣアドレス又はＨＯ＿ＩＤを示す。
【００６２】
上記から分かるように、本発明の本実施形態は、異なる装置に対するＭＰＤＵのＲＮＧ−ＲＳＰ  ＰＤＵｓを区別するように働き、したがって、上手く、この特定のユーザ装置宛でないＲＮＧ−ＲＳＰ  ＰＤＵｓを含むダウンリンクバーストの復号を避けることができる。
【００６３】
図７を見ると、本発明のさらに異なる実施形態に従って、ユーザ装置内の動作を説明するフローチャート図が示されている。
【００６４】
また、ユーザ装置１２は、ＲＮＧ−ＲＥＱ信号１６を発行する当該ユーザ装置１２に応答するＤＬサブフレーム２０を受信するように構成される。そして、最初のステップとして、ステップ４６において、ＤＬ−ＭＡＰ２６を読み込み、ステップ４８において、要求されたＤＩＵＣのＤＬ−ＭＡＰ識別子がさらに存在するか否かを調べる。もし存在するなら、装置は、ステップ７６に進み、そして、ＲＮＧ−ＲＳＰフラッグがＲＮＧ−ＲＳＰ  ＰＤＵｓの存在を示すように設定されているか否かを判定するステップ７８に進む。存在を示すように設定されている場合、ステップ８０において、ＤＬ−ＭＡＰ識別子内のＭＡＣアドレス又はハンドオーバ識別子がユーザ装置のＭＡＣアドレス又はハンドオーバ識別子と一致するか否かを判定する。一致する場合、ステップ８２においてダウンリンクは復号され、続いて、ステップ８４において、ステップ８６に示すように要求された通りに次の段階に移行するユーザ装置の動作に先立って、ＲＮＧ−ＲＳＰ信号は復号される。
【００６５】
しかし、ステップ７８又は８０のいずれかにおいて、ＲＮＧ−ＲＳＰフラッグが設定されていない、あるいは、相対的な識別値が一致しない場合、手続きは図のようにステップ４８に戻る。
【００６６】
本発明の他の装置は、上記に３つの態様の組み合わせから構成され得る。ＷｉＭＡＸ装置は最初にＤＬ＿ＭＡＰ−ＩＥ（）におけるＲＮＧ＿ＲＳＰ＿ＦＬＡＧ情報を調べる。ダウンリンクバーストがＲＮＧ−ＲＳＰ  ＰＤＵ（ｓ）を含む場合、装置は、ＨＯ＿ＭＡＣＡＤＤ＿ＩｎｆｏｒｍａｔｉｏｎがＭＡＣアドレス又はＨＯ＿ＩＤを含むか否かを調べる。もし含むなら、装置はバーストを復号する。ダウンリンクバーストを復号後、ＣＩＤが０であり、ＲＮＧ−ＲＳＰ  ＰＤＵのＧＭＨのＲＳＶビットがユーザのＭＡＣアドレス又はＨＯ＿ＩＤの偶数／奇数指定と一致する場合、装置はＴｙｐｅフィールドを調べ、さもなければ、装置はバーストにおける他のＭＰＤＵを復号する。Ｔｙｐｅフィールドに基づいて、装置は必要ならば、初期レンジングサブヘッダを復号する。
【００６７】
図８及び図９を見ると、本発明の上述のさらに他の実施形態を説明するフローチャート図が示される。これは、上述の３つの実施形態の組み合わせから構成される。図５乃至７のフローチャート図の参照番号の各セットに対応する、図８及び図９のフローチャート図において用いられる参照番号から分かるように、図７の実施形態の詳細は図５の実施形態に先行し、同様に、図５の実施形態は図６の実施形態に先行する。そして、図示するように、ステップ７２の復号に達するために、順番に、図７のＲＮＧ−ＲＳＰフラグと、図５のＲＳＶビットと、図６のＴｙｐｅフィールドのビット＃１及び＃２が用いられる。
【００６８】
様々な実施形態及び変更が、本発明の趣旨及び範囲から逸脱することなく可能である。上記の実施形態は、本発明を説明するためのものであり、本発明の範囲を限定するものではない。本発明の範囲は、実施形態よりもむしろ添付の請求項により示される。本発明の請求項と同等の意味において及び請求項の範囲においてされる様々な変更は、本発明の範囲に含まれるものとする。
【００６９】
さらに、本出願は、２００８年５月２３日に出願された英国特許出願第０８０９４０２．１号を基礎とする優先権を主張し、当該基礎とする出願のすべての内容は参照することにより本願に組み込まれる。
【産業上の利用可能性】
【００７０】
本発明は、例えば、通信装置及びシステムに利用可能である。
【図１】
0005445468.tif 000006
【図２】
0005445468.tif 000007
【図３】
0005445468.tif 000008
【図４】
0005445468.tif 000009
【図５】
0005445468.tif 000010
【図６】
0005445468.tif 000011
【図７】
0005445468.tif 000012
【図８】
0005445468.tif 000013
【図９】
0005445468.tif 000014